【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
第１ユーザの第１端末と第２ユーザの第２端末とを少なくとも含む複数の端末とメッセージの送受信を行う端末の表示方法であって、
前記第１ユーザの第１ユーザ名を前記端末により設定することと、
第１入力が前記端末に入力されたことに基づいて、前記設定された前記第１ユーザ名と、前記第２ユーザの第２ユーザ名とを少なくとも前記端末の表示領域に表示することと、
前記第２ユーザ名が前記第１ユーザ名と異なる場合、前記設定された前記第１ユーザ名の少なくとも一部を示す第２入力が前記端末に入力されたことに基づいて、前記表示領域に表示された前記第２ユーザ名を前記表示領域から消去することと、
前記表示領域に表示された前記第１ユーザ名に対応する前記第１ユーザが前記端末のユーザによって選択されたこと基づいて、前記第１ユーザに対するメッセージであることを示す第１情報を前記表示領域に表示することと、
前記端末の通信部によって、前記複数の端末に前記第１情報を含むメッセージを送信することとを含む。
【請求項２】
請求項１に記載の表示方法であって、
前記第２ユーザ名が前記第１ユーザの第３ユーザ名と異なる場合、前記第３ユーザ名の少なくとも一部を示す第３入力が前記端末に入力されたことに基づいて、前記表示領域に表示された前記第２ユーザ名を前記表示領域から消去することをさらに含む。
【請求項３】
請求項２に記載の表示方法であって、
前記第１ユーザの前記第３ユーザ名は、前記第１ユーザによって設定されたユーザ名である。
【請求項４】
請求項１から請求項３のいずれか一項に記載の表示方法であって、
前記第１端末から送信された、前記端末のユーザに対するメッセージであることを示す第２情報を含むメッセージを前記通信部によって受信した場合、前記第２情報を含むメッセージに基づく表示を前記表示領域に行うことをさらに含む。
【請求項５】
請求項４に記載の表示方法であって、
前記端末のユーザの第４ユーザ名を前記端末により設定することと、
前記設定された前記第４ユーザ名の少なくとも一部を示す第４入力が前記第１端末に入力されたことに基づいて、前記通信部によって前記第２情報を含むメッセージを受信することとをさらに含む。
【請求項６】
請求項４または請求項５に記載の表示方法であって、
前記第１端末から送信された前記第２情報を含むメッセージは、前記第１端末の前記第１ユーザによって入力され、前記第１端末から送信された、前記第２情報を含まないメッセージとは異なる表示態様で前記表示領域に表示される。
【請求項７】
請求項１から請求項６のいずれか一項に記載の表示方法であって、
前記第２ユーザ名は、前記第２ユーザによって設定される。
【請求項８】
請求項１から請求項７のいずれか一項に記載の表示方法であって、
前記第１情報を含むメッセージは、前記端末のユーザによって入力された文字情報をさらに含む。
【請求項９】
請求項１から請求項８のいずれか一項に記載の表示方法であって、
前記複数の端末の各々から送信されたメッセージと、前記端末から送信された前記第１情報を含むメッセージとを時系列に前記表示領域に表示することをさらに含む。
【請求項１０】
請求項１から請求項９のいずれか一項に記載の表示方法であって、
前記第１入力が前記端末に入力されたことに基づいて、前記設定された前記第１ユーザ名と前記第１ユーザに関連する画像とを前記表示領域に表示し、前記第２ユーザ名と前記第２ユーザに関連する画像とを前記表示領域に表示することをさらに含む。
【請求項１１】
請求項１から請求項１０のいずれか一項に記載の表示方法であって、
前記第１入力は、記号の入力であり、
前記第２入力は、前記第１ユーザ名の一部に対応する記号の入力である。
【請求項１２】
請求項１から請求項１１のいずれか一項に記載の表示方法であって、
前記第１情報を含むメッセージは、サーバを介して前記複数の端末に送信される。
【請求項１３】
第１ユーザの第１端末と第２ユーザの第２端末とを少なくとも含む複数の端末とメッセージの送受信を行う端末のコンピュータに実行させるプログラムであって、
前記第１ユーザの第１ユーザ名を前記端末により設定することと、
第１入力が前記端末に入力されたことに基づいて、前記設定された前記第１ユーザ名と、前記第２ユーザの第２ユーザ名とを少なくとも前記端末の表示領域に表示することと、
前記第２ユーザ名が前記第１ユーザ名と異なる場合、前記設定された前記第１ユーザ名の少なくとも一部を示す第２入力が前記端末に入力されたことに基づいて、前記表示領域に表示された前記第２ユーザ名を前記表示領域から消去することと、
前記表示領域に表示された前記第１ユーザ名に対応する前記第１ユーザが前記端末のユーザによって選択されたことに基づいて、前記第１ユーザに対するメッセージであることを示す第１情報を前記表示領域に表示することと、
前記端末の通信部によって、前記複数の端末に前記第１情報を含むメッセージを送信することとを含む。
【請求項１４】
請求項１３に記載のプログラムであって、
前記第２ユーザ名が前記第１ユーザの第３ユーザ名と異なる場合、前記第３ユーザ名の少なくとも一部を示す第３入力が前記端末に入力されたことに基づいて、前記表示領域に表示された前記第２ユーザ名を前記表示領域から消去することをさらに含む。
【請求項１５】
請求項１４に記載のプログラムであって、
前記第１ユーザの前記第３ユーザ名は、前記第１ユーザによって設定されたユーザ名である。
【請求項１６】
請求項１３から請求項１５のいずれか一項に記載のプログラムであって、
前記第１端末から送信された、前記端末のユーザに対するメッセージであることを示す第２情報を含むメッセージを前記通信部によって受信した場合、前記第２情報を含むメッセージに基づく表示を前記表示領域に行うことをさらに含む。
【請求項１７】
請求項１６に記載のプログラムであって、
前記端末のユーザの第４ユーザ名を前記端末により設定することと、
前記設定された前記第４ユーザ名の少なくとも一部を示す第４入力が前記第１端末に入力されたことに基づいて、前記通信部によって前記第２情報を含むメッセージを受信することとをさらに含む。
【請求項１８】
請求項１６または請求項１７に記載のプログラムであって、
前記第１端末から送信された前記第２情報を含むメッセージは、前記第１端末の前記第１ユーザによって入力され、前記第１端末から送信された、前記第２情報を含まないメッセージとは異なる表示態様で前記表示領域に表示される。
【請求項１９】
請求項１３から請求項１８のいずれか一項に記載のプログラムであって、
前記第２ユーザ名は、前記第２ユーザによって設定される。
【請求項２０】
請求項１９に記載のプログラムであって、
前記第１情報を含むメッセージは、前記端末のユーザによって入力された文字情報をさらに含む。
【請求項２１】
請求項１３から請求項２０のいずれか一項に記載のプログラムであって、
前記複数の端末の各々から送信されたメッセージと、前記端末から送信された前記第１情報を含むメッセージとを時系列に前記表示領域に表示することをさらに含む。
【請求項２２】
請求項１３から請求項２１のいずれか一項に記載のプログラムであって、
前記第１入力が前記端末に入力されたことに基づいて、前記設定された前記第１ユーザ名と前記第１ユーザに関連する画像とを前記表示領域に表示し、前記第２ユーザ名と前記第２ユーザに関連する画像とを前記表示領域に表示することをさらに含む。
【請求項２３】
請求項１３から請求項２２のいずれか一項に記載のプログラムであって、
前記第１入力は、記号の入力であり、
前記第２入力は、前記第１ユーザ名の一部に対応する記号の入力である。
【請求項２４】
請求項１３から請求項２３のいずれか一項に記載のプログラムであって、
前記第１情報を含むメッセージは、サーバを介して前記複数の端末に送信される。
【手続補正２】
【補正対象書類名】明細書
【補正対象項目名】発明の名称
【補正方法】変更
【補正の内容】
【発明の名称】表示方法およびプログラム
【手続補正３】
【補正対象書類名】明細書
【補正対象項目名】０００７
【補正方法】変更
【補正の内容】
【０００７】
本発明の一実施形態に係る表示方法は、第１ユーザの第１端末と第２ユーザの第２端末とを少なくとも含む複数の端末とメッセージの送受信を行う端末の表示方法であって、前記第１ユーザの第１ユーザ名を前記端末により設定することと、第１入力が前記端末に入力されたことに基づいて、前記設定された前記第１ユーザ名と、前記第２ユーザの第２ユーザ名とを少なくとも前記端末の表示領域に表示することと、前記第２ユーザ名が前記第１ユーザ名と異なる場合、前記設定された前記第１ユーザ名の少なくとも一部を示す第２入力が前記端末に入力されたことに基づいて、前記表示領域に表示された前記第２ユーザ名を前記表示領域から消去することと、前記表示領域に表示された前記第１ユーザ名に対応する前記第１ユーザが前記端末のユーザによって選択されたこと基づいて、前記第１ユーザに対するメッセージであることを示す第１情報を前記表示領域に表示することと、前記端末の通信部によって、前記複数の端末に前記第１情報を含むメッセージを送信することとを含む。
また、本発明の一実施形態に係るプログラムは、第１ユーザの第１端末と第２ユーザの第２端末とを少なくとも含む複数の端末とメッセージの送受信を行う端末のコンピュータに実行させるプログラムであって、前記第１ユーザの第１ユーザ名を前記端末により設定することと、第１入力が前記端末に入力されたことに基づいて、前記設定された前記第１ユーザ名と、前記第２ユーザの第２ユーザ名とを少なくとも前記端末の表示領域に表示することと、前記第２ユーザ名が前記第１ユーザ名と異なる場合、前記設定された前記第１ユーザ名の少なくとも一部を示す第２入力が前記端末に入力されたことに基づいて、前記表示領域に表示された前記第２ユーザ名を前記表示領域から消去することと、前記表示領域に表示された前記第１ユーザ名に対応する前記第１ユーザが前記端末のユーザによって選択されたことに基づいて、前記第１ユーザに対するメッセージであることを示す第１情報を前記表示領域に表示することと、前記端末の通信部によって、前記複数の端末に前記第１情報を含むメッセージを送信することとを含む。